(57)【要約】      （修正有）【課題】プロジェクタの動作不良を予測する検出装置、プロジェクタ、検出方法およびプログラムを提供する。【解決手段】検出装置１００は、モーターを用いて駆動するシャッターが開いた状態から閉じた状態になるまでにかかる閉時間と、閉じた状態から開いた状態になるまでにかかる開時間との少なくとも一方を測定するタイマ１１０と、タイマ１１０が測定した閉時間または開時間と、あらかじめ設定された閾値とを比較する制御部１２０と、制御部１２０における比較の結果に基づいて、所定の通知を行う通知部１３０とを有する。【選択図】図１
2019115007.tif 000002
【特許請求の範囲】
【請求項１】
モーターを用いて駆動するシャッターが開いた状態から閉じた状態になるまでにかかる閉時間と、閉じた状態から開いた状態になるまでにかかる開時間との少なくとも一方を測定するタイマと、
前記タイマが測定した閉時間または開時間と、あらかじめ設定された閾値とを比較する制御部と、
前記制御部における前記比較の結果に基づいて、所定の通知を行う通知部とを有する検出装置。
【請求項２】
請求項１に記載の検出装置において、
前記通知部は、前記タイマが測定した閉時間または開時間が前記閾値を超えた場合、前記所定の通知を行う検出装置。
【請求項３】
請求項１に記載の検出装置において、
前記制御部は、前記タイマが測定した閉時間または開時間の所定の回数分の平均値を算出し、該算出した平均値と前記閾値とを比較する検出装置。
【請求項４】
請求項３に記載の検出装置において、
前記通知部は、前記平均値が前記閾値を超えた場合、前記所定の通知を行う検出装置。
【請求項５】
請求項２に記載の検出装置において、
前記通知部は、前記タイマが測定した閉時間または開時間が前記閾値を超えたことが連続して所定の回数発生した場合、前記所定の通知を行う検出装置。
【請求項６】
請求項１から５のいずれか１項に記載の検出装置において、
前記制御部は、前記モーター周辺および前記シャッター周辺の温度に応じて設定されている閾値を用いて前記比較を行う検出装置。
【請求項７】
請求項１から６のいずれか１項に記載の検出装置において、
前記通知部は、前記所定の通知として所定の表示を行う検出装置。
【請求項８】
請求項１から７のいずれか１項に記載の検出装置と、
光源ユニットと、
前記光源ユニットから投射された光をコントロールして出力するプリズムユニットと、
モーターと、該モーターを用いて駆動し、前記プリズムユニットから出力された光の出力を制御するシャッターとを具備するシャッターユニットと、
前記シャッターユニットを通過した光を外部へ出力する投射レンズとを有するプロジェクタ。
【請求項９】
モーターを用いて駆動するシャッターが開いた状態から閉じた状態になるまでにかかる閉時間と、閉じた状態から開いた状態になるまでにかかる開時間との少なくとも一方を測定する処理と、
前記測定した閉時間または開時間と、あらかじめ設定された閾値とを比較する処理と、
前記比較の結果に基づいて、所定の通知を行う処理とを行う検出方法。
【請求項１０】
コンピュータに、
モーターを用いて駆動するシャッターが開いた状態から閉じた状態になるまでにかかる閉時間と、閉じた状態から開いた状態になるまでにかかる開時間との少なくとも一方を測定する手順と、
前記測定した閉時間または開時間と、あらかじめ設定された閾値とを比較する手順と、
前記比較の結果に基づいて、所定の通知を行う手順とを実行させるためのプログラム。
【発明の詳細な説明】
【技術分野】
【０００１】
本発明は、検出装置、プロジェクタ、検出方法およびプログラムに関する。
【背景技術】
【０００２】
プロジェクタには多くの部品が使用されている。それらの部品が経年劣化による寿命や故障等を原因として使用できなくなると、当該部品を新しいものへ交換しなければならない。その寿命に達したことや故障が発生したことを検出するために、様々な方法が用いられている。例えば、１フレームの画像を３つのフィールドに分けて転送し、そのうちの少なくとも２つのフィールドの転送結果における露光量の互いの差異に基づいて、メカニカルシャッター（以下、シャッターと称する）の動作異常を検知する技術が考えられている（例えば、特許文献１参照。）。
【先行技術文献】
【特許文献】
【０００３】
【特許文献１】特開２００５−１８４３９１号公報
【発明の概要】
【発明が解決しようとする課題】
【０００４】
シネマプロジェクタのような興業目的で用いられるプロジェクタにおいて、興業中や興業直前における部品寿命や故障が原因となるプロジェクタ本体の動作不良は、興業自体に大きな損害を与えることになってしまう。突発的な部品の故障については予期しづらいが、部品寿命を原因とした動作不良については、各部品を寿命が達してから交換するのではなく、あらかじめ寿命による交換時期が近づいている予兆を検出し、興業に支障を与えないことが必要となる。シャッターに関しては、興業直前にシャッターユニットが部品寿命に達し、シャッターが開かないといった状態になった場合、興業自体を中断せざる得ない事態に陥るおそれがある。このように、プロジェクタに動作不良が発生する前に対策を施すことができないという問題点がある。特許文献１に記載された技術においても、同様の問題点がある。
【０００５】
本発明の目的は、上述した課題を解決する検出装置、プロジェクタ、検出方法およびプログラムを提供することである。
【課題を解決するための手段】
【０００６】
本発明の検出装置は、
モーターを用いて駆動するシャッターが開いた状態から閉じた状態になるまでにかかる閉時間と、閉じた状態から開いた状態になるまでにかかる開時間との少なくとも一方を測定するタイマと、
前記タイマが測定した閉時間または開時間と、あらかじめ設定された閾値とを比較する制御部と、
前記制御部における前記比較の結果に基づいて、所定の通知を行う通知部とを有する。
また、本発明のプロジェクタは、
モーターを用いて駆動するシャッターが開いた状態から閉じた状態になるまでにかかる閉時間と、閉じた状態から開いた状態になるまでにかかる開時間との少なくとも一方を測定するタイマと、
前記タイマが測定した閉時間または開時間と、あらかじめ設定された閾値とを比較する制御部と、
前記制御部における前記比較の結果に基づいて、所定の通知を行う通知部とを有する検出装置と、
光源ユニットと、
前記光源ユニットから投射された光をコントロールして出力するプリズムユニットと、
モーターと、該モーターを用いて駆動し、前記プリズムユニットから出力された光の出力を制御するシャッターとを具備するシャッターユニットと、
前記シャッターユニットを通過した光を外部へ出力する投射レンズとを有する。
また、本発明の検出方法は、
モーターを用いて駆動するシャッターが開いた状態から閉じた状態になるまでにかかる閉時間と、閉じた状態から開いた状態になるまでにかかる開時間との少なくとも一方を測定する処理と、
前記測定した閉時間または開時間と、あらかじめ設定された閾値とを比較する処理と、
前記比較の結果に基づいて、所定の通知を行う処理とを行う。
また、本発明のプログラムは、
コンピュータに実行させるためのプログラムであって、
モーターを用いて駆動するシャッターが開いた状態から閉じた状態になるまでにかかる閉時間と、閉じた状態から開いた状態になるまでにかかる開時間との少なくとも一方を測定する手順と、
前記測定した閉時間または開時間と、あらかじめ設定された閾値とを比較する手順と、
前記比較の結果に基づいて、所定の通知を行う手順とを実行させる。
【発明の効果】
【０００７】
以上説明したように、本発明においては、プロジェクタに動作不良が発生する前に対策を施すことができる。
【図面の簡単な説明】
【０００８】
【図１】本発明の検出装置の第１の実施の形態を示す図である。
【図２】図１に示した検出装置における検出方法を説明するためのフローチャートである。
【図３】本発明の検出装置の第２の実施の形態を示す図である。
【図４】図３に示した検出装置の内部構成の一例を示す図である。
【図５】図３に示したシャッターユニットの内部構成の一例を示す図である。
【図６】図４に示した記憶部に記憶されている閾値の一例を示す図である。
【図７】図４に示したタイマが測定した開閉時間の一例を示す図である。
【図８】図４に示した記憶部に記憶されている閾値の他の例を示す図である。
【図９】図４に示したタイマが測定した開閉時間の他の例を示す図である。
【図１０】図３に示したプロジェクタにおける検出方法を説明するためのフローチャートである。
【発明を実施するための形態】
【０００９】
本発明は、シャッターユニットの使用における部品寿命が近づくにつれて、シャッターの開閉時間が徐々に長くなっていくことに着目し、シャッターの開閉動作が行われた際、開閉時間をプロジェクタ内の記憶装置に記憶し、あらかじめ保存されている正常開閉時間に基づいた閾値からシャッターユニットの部品寿命を予兆し検出するものである。また、プロジェクタの据え置き設置、天吊り設置等の設置状態に応じて変化するシャッターの開閉時間にも対応し、検出を行えるようにする。
【００１０】
以下に本発明の実施の形態について図面を参照して説明する。
（第１の実施の形態）
【００１１】
図１は、本発明の検出装置の第１の実施の形態を示す図である。本形態における検出装置１００は図１に示すように、タイマ１１０と、制御部１２０と、通知部１３０とを有する。図１には、本形態における検出装置が具備する構成要素のうち、本実施の形態に関わる主要な構成要素の一例を示す。
【００１２】
タイマ１１０は、モーターを用いて駆動するシャッターが開いた状態から閉じた状態になるまでにかかる閉時間と、閉じた状態から開いた状態になるまでにかかる開時間との少なくとも一方を測定する。
制御部１２０は、タイマ１１０が測定した閉時間または開時間と、あらかじめ設定された閾値とを比較する。
通知部１３０は、制御部１２０における比較の結果に基づいて、所定の通知を行う。
【００１３】
以下に、図１に示した検出装置１００における検出方法について説明する。図２は、図１に示した検出装置１００における検出方法を説明するためのフローチャートである。
まず、タイマ１１０が、モーターを用いて駆動するシャッターが開いた状態から閉じた状態になるまでにかかる閉時間と、閉じた状態から開いた状態になるまでにかかる開時間との少なくとも一方を測定する（ステップＳ１）。続いて、制御部１２０が、タイマ１１０が測定した閉時間または開時間と、あらかじめ設定された閾値とを比較する（ステップＳ２）。すると、通知部１３０が、制御部１２０における比較の結果に基づいて、所定の通知を行う（ステップＳ３）。
【００１４】
このように、プロジェクタのシャッターの開閉時間を測定し、測定した結果に基づいて通知を行う。そのため、プロジェクタに動作不良が発生する前に対策を施すことができる。
（第２の実施の形態）
【００１５】
図３は、本発明の検出装置の第２の実施の形態を示す図である。本形態における検出装置１０１は図２に示すように、光源ユニット２０１と、プリズムユニット３０１と、シャッターユニット４０１と、投射レンズ５０１とを有するプロジェクタ６０１に具備されている。
光源ユニット２０１は、光を発するランプやレーザ等の光源体である。
プリズムユニット３０１は、光源ユニット２０１から投射された光をコントロールして出力する。
シャッターユニット４０１は、モーターと、モーターを用いて駆動し、プリズムユニット３０１から出力された光の出力を制御するシャッターとを具備する。シャッターユニット４０１は、プロジェクタ６０１が画像の投射を行うとき時はシャッターを開き、それ以外の時はシャッターを閉じることで投射レンズ５０１から入ってくる外光からプリズムユニット３０１を保護する目的で使用される。そのため、シャッターユニット４０１は、投射レンズ５０１とプリズムユニット３０１との間に取り付けられる。プロジェクタ６０１内にシャッターユニット４０１を取り付けるその他の理由として、プロジェクタ６０１外から入り込んでくる粉塵からプリズムユニット３０１の汚れを防ぐ目的もある。また、光源ユニット２０１にランプを使用しているプロジェクタ６０１は、光源の起動に時間がかかり、映像ミュートを実行する際に光源からの出力を完全に落とすことができない。そこで、光源からの出力を落とさずに映像ミュートを実行するためにシャッターを用いる。
投射レンズ５０１は、シャッターユニット４０１を通過した光を外部へ出力する。
【００１６】
図４は、図３に示した検出装置１０１の内部構成の一例を示す図である。図３に示した検出装置１０１は図４に示すように、タイマ１１１と、制御部１２１と、表示部１３１と、記憶部１４１とを有する。
タイマ１１１は、シャッターユニット４０１のシャッターの開閉動作にかかった時間を測定する。具体的には、タイマ１１１は、シャッターが開いた状態から閉じた状態になるまでにかかる閉時間を測定する。また、タイマ１１１は、シャッターが閉じた状態から開いた状態になるまでにかかる開時間を測定する。
【００１７】
図５は、図３に示したシャッターユニット４０１の内部構成の一例を示す図である。図３に示したシャッターユニット４０１には図５に示すように、モーター４２１を用いて駆動するシャッター４１１の可動範囲の両端にスイッチ４３１−１，４３１−２が取り付けられている。シャッター４１１が、開閉動作中以外は開状態または閉状態となり、スイッチ４３１−１，４３１−２のいずれか一方がシャッター４１１に押されてオンの状態となる。開閉動作が開始されシャッター４１１が動作すると、可動範囲の端に到達し、開閉動作直前まで押されていたスイッチとは異なるもう一方のスイッチが押されることで動作を停止する。タイマ１１１は、開閉動作が実行されると同時に測定を開始し、シャッター４１１が可動範囲の端まで到達し、他方のスイッチが押されるまでの時間を測定する。制御部１２１は、タイマ１１１が測定した開時間および閉時間を記憶部１４１は記憶する。
【００１８】
制御部１２１は、タイマ１１１が測定した閉時間または開時間と、あらかじめ設定された閾値とを比較する。この閾値は、記憶部１４１があらかじめ記憶している値である。
表示部１３１は、制御部１２１における比較の結果に基づいて、所定の表示（通知）を行う通知部である。表示部１３１は、制御部１２１における比較の結果、タイマ１１１が測定した閉時間または開時間が閾値を超えた場合、所定の表示（通知）を行う。この表示は、シャッターユニット４０１の部品寿命の予兆が現れた旨が認識できる表示である。例えば、「シャッターユニットの部品寿命が近づいています。部品を交換してください。」等のメッセージの表示であっても良い。なお、この通知は表示以外の音声を用いた通知や、他の装置への所定の信号の出力（送信）を用いた通知であっても良い。
【００１９】
図６は、図４に示した記憶部１４１に記憶されている閾値の一例を示す図である。シャッター４１１が正常時の開時間および閉時間は、シャッターユニット４０１の特性に応じて固有の値を持つ。そのため、制御部１２１が比較に用いる閾値は、固有の値となる。図４に示した記憶部１４１には図６に示すように、制御部１２１が開時間と比較する閾値ｘと、閉時間と比較する閾値ｙとがあらかじめ記憶されている。これらは、プロジェクタ６０１の管理者等が何らかの入力手段を用いて記憶部１４１に記憶させておく。なお、この閾値は、正常時の開時間および閉時間と同じ値であっても良いし、これらの値にある程度のマージンを加えた値であっても良い。
【００２０】
上述したように、シャッターの開閉動作にかかった時間、つまり開時間または閉時間が正常開閉時間またはそれらに基づいた時間として設定されている閾値を超えた場合、制御部１２１は、シャッターユニット４０１の部品寿命の予兆が現れたと判定する。ここで、開時間および閉時間はシャッターユニット４０１に搭載されているモーター４２１の特性によってバラつきが生じる。そのため、制御部１２１における比較の結果が、開時間または閉時間が閾値を１回だけ超えたものである場合に、表示部１３１が表示を行うものではなく、保護段数を設けて、開時間または閉時間が閾値を複数回連続して超えた場合に、表示部１３１が表示を行うものであっても良い。例えば、３回の保護段数を設定し、開時間または閉時間が閾値を３回連続して超えた場合に、表示部１３１が表示を行うものであっても良い。
【００２１】
図７は、図４に示したタイマ１１１が測定した開閉時間の一例を示す図である。図７に示すように、シャッター４１１が開いた状態から閉じた状態になる時間（閉時間）と、閉じた状態から開いた状態になる時間（開時間）とが測定されて記憶部１４１に記憶される。制御部１２１は、記憶部１４１に記憶された開時間および閉時間と閾値ｘおよび閾値ｙとをそれぞれ比較する。図７に示すように、タイマ１１１が測定した開時間が閾値ｘを連続３回超えた場合に、制御部１２１は部品寿命の予兆を検出したと判定し、表示部１３１がその旨を示す表示を行う。タイマ１１１が測定した閉時間が閾値ｙを連続３回超えた場合も同様である。なお、この保護段数は、あらかじめ設定された値であって、外部から入力手段を用いて設定可能である。
【００２２】
プロジェクタ６０１の据え置き設置に対して天吊り設置では、重力方向に対するシャッター４１１の移動方向が変化し、シャッターユニット４０１の開閉部に対する物理的な負担が異なる。そのため、シャッター４１１の正常開閉時間も据え置き設置のものと天吊り設置のものとでは異なる。このことから、正常開閉時間に基づいて設定される閾値は、プロジェクタ６０１の設置状態毎に持たせるものであっても良い。制御部１２１は、プロジェクタ６０１の設置時に、その設置状態が据え置き設置と天吊り設置とのどちらであるかを取得する。そして、制御部１２１は、シャッター４１１の開閉動作が行われた時に、タイマ１１１が測定した開時間および閉時間と、設置状態に応じた正常開閉時間またはそれらに基づいた時間の閾値とを比較することで設置状態の差に起因したユニット寿命の予兆が誤検出されること防止することができる。
【００２３】
図８は、図４に示した記憶部１４１に記憶されている閾値の他の例を示す図である。図８に示すように、開時間と比較するための閾値および閉時間と比較するための閾値が、プロジェクタ６０１の設置状態に応じて設定されている。図８に示した例では、設置状態として、据え置きおよび天吊りが設定されている。設置状態が据え置きである場合、そのときの開時間と比較するための閾値ｘ、閉時間と比較するための閾値ｙがあらかじめ記憶されている。また、設置状態が天吊りである場合、そのときの開時間と比較するための閾値ｘ’、閉時間と比較するための閾値ｙ’があらかじめ記憶されている。これらは、プロジェクタ６０１の管理者等が何らかの入力手段を用いて記憶部１４１に記憶させておく。なお、この閾値は、正常時の開時間および閉時間と同じ値であっても良いし、これらの値にある程度のマージンを加えた値であっても良い。
【００２４】
図９は、図４に示したタイマ１１１が測定した開閉時間の他の例を示す図である。ここでは、プロジェクタ６０１の設置状態が天吊り設置である場合を例に挙げる。プロジェクタ６０１の設置状態が天吊り設置であるため、制御部１２１は、図８に示した閾値のうち、閾値ｘ’および閾値ｙ’を比較に用いる。図９に示すように、シャッター４１１が開いた状態から閉じた状態になる時間（閉時間）と、閉じた状態から開いた状態になる時間（開時間）とが測定されて記憶部１４１に記憶される。制御部１２１は、記憶部１４１に記憶された開時間および閉時間と閾値ｘ’および閾値ｙ’とをそれぞれ比較する。図９に示すように、タイマ１１１が測定した閉時間が閾値ｙ’を連続３回超えた場合に、制御部１２１は部品寿命の予兆を検出したと判定し、表示部１３１がその旨を示す表示を行う。タイマ１１１が測定した開時間が閾値ｘ’を連続３回超えた場合も同様である。なお、この保護段数は、あらかじめ設定された値であって、外部から入力手段を用いて設定可能である。
【００２５】
以下に、図３に示したプロジェクタ６０１における検出方法について説明する。図１０は、図３に示したプロジェクタ６０１における検出方法を説明するためのフローチャートである。
まず、プロジェクタ６０１がシャッター４１１の開閉動作を開始する（ステップＳ１１）。すると、タイマ１１１がシャッター４１１の開時間および閉時間を測定する（ステップＳ１２）。制御部１２１は、タイマ１１１が測定した開時間および閉時間を記憶部１４１に保存する（ステップＳ１３）。また、制御部１２１は、プロジェクタ６０１の設置状態を取得する（ステップＳ１４）。制御部１２１は、取得した設置状態に応じた閾値を記憶部１４１から読み出し、記憶部１４１に保存した測定結果である開時間および閉時間と閾値とを比較する（ステップＳ１５）。開時間または閉時間が閾値を超える場合、あらかじめ設定された回数、例えば、ｎ回（ｎは２以上の整数）連続して閾値を超えたかどうかを制御部１２１は判定する（ステップＳ１６）。開時間または閉時間がｎ回連続して閾値を超えた場合、表示部１３１は所定の表示を行う（ステップＳ１７）。
【００２６】
このように、検出装置１０１が、シャッター４１１の開閉時間を測定し、測定した開閉時間があらかじめ設定した閾値を超える場合、所定の表示を行うことでユニットの部品寿命の予兆を利用者へ通知する。そのため、プロジェクタのユニットの部品寿命に達する前にその予兆を利用者が認識することができ、対策を施すことができる。
【００２７】
シャッターユニット４０１に搭載されているモーター４２１は、その周辺の温度環境に応じて動作が微妙に変化する。そこで、検出装置１０１がシャッターユニット４０１の周辺温度を測定する温度計を具備し、記憶部１４１が記憶している閾値を温度毎に設定し、制御部１２１が、タイマ１１１が測定したシャッターの開閉時間と、そのときの温度計が測定した温度に応じた閾値とを比較するものであっても良い。温度に応じた閾値と比較することで、さらに詳細な水準で部品寿命の予兆を検出することができる。また、シャッターユニット４０１の周辺温度を、プロジェクタ６０１の外気温度との相関を取ることで取得することができれば、プロジェクタ６０１からシャッターユニット４０１の周辺温度を取得する必要がなくなる。
【００２８】
制御部１２１は、タイマ１１１が測定した閉時間または開時間の所定の回数分の平均値を算出し、算出した平均値と閾値とを比較するものであっても良い。この場合、平均値が閾値を超えた場合、表示部１３１は所定の表示を行う。
【００２９】
表示部１３１は、タイマ１１１が測定した閉時間または開時間が閾値を所定の期間内（例えば、１日）に所定の回数（例えば、３回）超えた場合、所定の表示を行うものであっても良い。
【００３０】
上記の説明では、シャッターユニット４０１の部品寿命の予兆を利用者に通知するが、予兆だけではユニットの交換を急がない利用者が出てくる可能性がある。そのため、検出の条件を満たしたときには予兆ではなく部品寿命と判定するものであっても良い。部品寿命と判定することでユニット交換をより早く利用者に促すことができる。
【００３１】
以上、各構成要素に各機能（処理）それぞれを分担させて説明したが、この割り当ては上述したものに限定しない。また、構成要素の構成についても、上述した形態はあくまでも例であって、これに限定しない。また、各実施の形態を組み合わせたものであっても良い。
【００３２】
上述した各構成要素が行う処理は、目的に応じてそれぞれ作製された論理回路で行うようにしても良い。また、処理内容を手順として記述したコンピュータプログラム（以下、プログラムと称する）を各構成要素を具備した装置（以下、情報処理装置と称する）にて読取可能な記録媒体に記録し、この記録媒体に記録されたプログラムを情報処理装置に読み込ませ、実行するものであっても良い。情報処理装置にて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃ、ＵＳＢ（Ｕｎｉｖｅｒｓａｌ  Ｓｅｒｉａｌ  Ｂｕｓ）メモリなどの移設可能な記録媒体の他、情報処理装置に内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、情報処理装置に設けられたＣＰＵにて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００３３】
１００，１０１    検出装置
１１０，１１１    タイマ
１２０，１２１    制御部
１３０    通知部
１３１    表示部
１４１    記憶部
２０１    光源ユニット
３０１    プリズムユニット
４０１    シャッターユニット
４１１    シャッター
４２１    モーター
４３１−１，４３１−２    スイッチ
５０１    投射レンズ
６０１    プロジェクタ
【図１】
2019115007.tif 000003
【図２】
2019115007.tif 000004
【図３】
2019115007.tif 000005
【図４】
2019115007.tif 000006
【図５】
2019115007.tif 000007
【図６】
2019115007.tif 000008
【図７】
2019115007.tif 000009
【図８】
2019115007.tif 000010
【図９】
2019115007.tif 000011
【図１０】
2019115007.tif 000012